(57)【要約】【課題】震災等の強い揺れに見舞われても、空気弁の損傷を防ぐことが可能な空気弁装置を提供する。【解決手段】管路１から空気弁６の下部に形成された連通口１７に至る流路４２の途中に、流体の圧力変動を低減する圧力変動低減装置４１が備えられ、圧力変動低減装置４１は通過する流体の流れを受けて運動する可動部４４を有し、可動部４４は、流路４２の上流側と下流側とに連通し且つ流路断面積を絞るオリフィスの機能を有する流通孔５５，５６を備えている。【選択図】図１
2013170604.tif 000002
【特許請求の範囲】
【請求項１】
弁箱の上部に、開閉自在な空気孔が形成され、
弁箱の下部に、管路に連通する連通口が形成され、
弁箱内に、空気孔と連通口とに通じる弁箱内流路と、昇降自在なフロートとが設けられ、
フロートの上昇によって空気孔が閉じられる空気弁装置であって、
管路から連通口に至る流路の途中に、流体の圧力変動を低減する圧力変動低減装置が備えられ、
圧力変動低減装置は通過する流体の流れを受けて運動自在な可動部を有し、
可動部は、流路の上流側と下流側とに連通し且つ流路断面積を絞るオリフィスの機能を有する流通孔を備えていることを特徴とする空気弁装置。
【請求項２】
可動部は流体の流れ方向に移動し、
圧力変動低減装置は、可動部を流れ方向とは逆方向へ付勢する伸縮自在な弾性体を有していることを特徴とする請求項１記載の空気弁装置。
【請求項３】
可動部は流体の流れを受けて回転自在な回転部を有することを特徴とする請求項１記載の空気弁装置。
【請求項４】
弁箱の上部に、開閉自在な空気孔が形成され、
弁箱の下部に、管路に連通する連通口が形成され、
弁箱内に、空気孔と連通口とに通じる弁箱内流路と、昇降自在なフロートとが設けられ、
フロートの上昇によって空気孔が閉じられる空気弁装置であって、
管路から連通口に至る流路の途中にパッキンが設けられ、
パッキンは、流路の上流側と下流側とに連通し且つ流路断面積を絞るオリフィスの機能を有する流通孔と、流通孔の周囲を補強する補強部材とを有し、
パッキンの流通孔の周囲が流路内に突入していることを特徴とする空気弁装置。
【発明の詳細な説明】
【技術分野】
【０００１】
本発明は、例えば水道用管路等の管路に設けられる空気弁装置に関する。
【背景技術】
【０００２】
従来、この種の空気弁装置としては、例えば図１５に示すように、下部に連通口１０１を有する弁箱１０２と、弁箱１０２の上端に取り付けられた蓋体１０３と、蓋体１０３に形成された大径空気孔１０４の外周部に対応させて蓋体１０３の下端面に下向きに取り付けられた弁座１０５と、弁箱１０２内に案内部材１０６を介して昇降自在に保持された中空構造のフロート１０７と、フロート１０７に被冠されてフロート１０７と共に昇降することにより弁座１０５に当接離間するシート部１０８を有する遊動弁体１０９と、遊動弁体１０９に形成された小径空気孔１１０とを有するものがある。
【０００３】
このような空気弁装置１１２は、埋設された水道用管路１１３に接続されている。
水道用管路１１３は複数本のダクタイル鉄管等の管を接合してなり、管同士の接合部分は一方の管の挿口を他方の管の受口に挿入した耐震継手構造を有している。地震時の大きな地盤変動の際、挿口が受口に対して管軸方向にスライドすることで、管継手部が管軸方向に伸縮し、挿口が限界まで伸び出ると、挿口突部が受口内のロックリングに引っ掛り、離脱防止機構が機能する。
【０００４】
水道用管路１１３から連通口１０１を通って弁箱１０２内に水が流入して水位が変化することにより、それに連動して遊動弁体１０９及びフロート１０７が昇降し、遊動弁体１０９は、大径空気孔１０４を開閉して、充水時の排気と排水時の空気導入を行うことができる。また、フロート１０７は、遊動弁体１０９の小径空気孔１１０を開閉して、大径空気孔１０４を閉鎖した充水状態で弁箱１０２内に溜まった空気を自動的に排気することができる。
【先行技術文献】
【特許文献】
【０００５】
【特許文献１】特開平１０−３８１１５
【発明の概要】
【発明が解決しようとする課題】
【０００６】
しかしながら上記の従来形式では、東日本大震災の際、想定を超えた非常に強い揺れのため、空気弁装置１１２のフロート１０７が凹むといった不具合が発生した。このような際には、強い揺れにより水道用管路１１３の管継手部が伸縮することで、管の損傷が防止されるのであるが、このとき、空気弁装置１１２の弁箱１０２内の水が一気に連通口１０１を通って水道用管路１１３へ流出したり、或は、水道用管路１１３内の水が一気に連通口１０１を通って空気弁装置１１２の弁箱１０２内に流入するといった異常現象が短時間のうちに繰り返し発生すると考えられる。このような空気弁装置１１２の弁箱１０２に対する水の急激な流入出現象によって弁箱１０２内の圧力が瞬時に大幅に変動し、これにより、中空構造のため外圧に弱いフロート１０７が大幅な圧力変動に耐えられずに凹んだものと推測される。尚、このような不具合発生のメカニズムは、現在のところ推測の域を出ず、今後の解明が待たれる。
【０００７】
また、上記特許文献１には、弁箱と水道用管路との間の流体流入路に、整流用の多孔板を備えた空気弁装置が開示されている。これによると、水道用管路から流体流入路を通って空気弁装置の弁箱へ流入する流体が多孔板を通過することで層流状態に整流される。
【０００８】
しかしながら、上記のような整流用の多孔板を備えても、地震の際の揺れによって発生する弁箱内の大きな圧力変動を十分に低減することは困難であると考えられる。
本発明は、震災等の強い揺れに見舞われても、弁箱内の大きな圧力変動を十分に低減することが可能な空気弁装置を提供することを目的とする。
【課題を解決するための手段】
【０００９】
上記目的を達成するために、本第１発明は、弁箱の上部に、開閉自在な空気孔が形成され、
弁箱の下部に、管路に連通する連通口が形成され、
弁箱内に、空気孔と連通口とに通じる弁箱内流路と、昇降自在なフロートとが設けられ、
フロートの上昇によって空気孔が閉じられる空気弁装置であって、
管路から連通口に至る流路の途中に、流体の圧力変動を低減する圧力変動低減装置が備えられ、
圧力変動低減装置は通過する流体の流れを受けて運動自在な可動部を有し、
可動部は、流路の上流側と下流側とに連通し且つ流路断面積を絞るオリフィスの機能を有する流通孔を備えているものである。
【００１０】
これによると、地震等の揺れによって管路の管継手部が伸縮すると、空気弁装置の弁箱内の水が一気に連通口から流路を通って管路へ流出したり、或は、管路内の水が一気に流路を通って連通口から弁箱内へ流入するという異常現象が短時間のうちに繰り返し発生することがある。
【００１１】
この際、管路から空気弁装置に向って流路を一気に流れる流体が圧力変動低減装置の可動部の流通孔を通過し、このとき、可動部は流体の流れを受けて運動する。これにより、空気弁装置の弁箱内に流入する流体の勢いが弱められ、弁箱内の圧力変動が十分に低減されるため、フロート等の損傷を防止することができる。
【００１２】
本第２発明における空気弁装置は、可動部は流体の流れ方向に移動し、
圧力変動低減装置は、可動部を流れ方向とは逆方向へ付勢する伸縮自在な弾性体を有しているものである。
【００１３】
これによると、圧力変動低減装置の可動部は、管路から空気弁装置に向って流路を一気に流れる流体の流れを受け、弾性体の付勢力に抗して移動する。これにより、弾性体が圧縮され、弁箱内に流入する流体の勢いが弱められ、流体の圧力エネルギーの一部が弾性体を圧縮させるのに要する弾性エネルギーに変換されるため、弁箱内の圧力変動が十分に低減される。
【００１４】
本第３発明における空気弁装置は、可動部は流体の流れを受けて回転自在な回転部を有するものである。
これによると、圧力変動低減装置の回転部は管路から空気弁装置に向って流路を一気に流れる流体の流れを受けて回転する。これにより、弁箱内に流入する流体の勢いが弱められ、流体の圧力エネルギーの一部が回転部を回転させるのに要する回転エネルギーに変換されるため、弁箱内の圧力変動が十分に低減される。
【００１５】
本第４発明における空気弁装置は、弁箱の上部に、開閉自在な空気孔が形成され、
弁箱の下部に、管路に連通する連通口が形成され、
弁箱内に、空気孔と連通口とに通じる弁箱内流路と、昇降自在なフロートとが設けられ、
フロートの上昇によって空気孔が閉じられる空気弁装置であって、
管路から連通口に至る流路の途中にパッキンが設けられ、
パッキンは、流路の上流側と下流側とに連通し且つ流路断面積を絞るオリフィスの機能を有する流通孔と、流通孔の周囲を補強する補強部材とを有し、
パッキンの流通孔の周囲が流路内に突入しているものである。
【００１６】
これによると、地震等の揺れによって管路の管継手部が伸縮すると、空気弁装置の弁箱内の水が一気に連通口から流路を通って管路へ流出したり、或は、管路内の水が一気に流路を通って連通口から弁箱内へ流入するという異常現象が短時間のうちに繰り返し発生することがある。
【００１７】
この際、管路から空気弁装置に向って流路を一気に流れる流体がパッキンの流通孔を通過し、このとき、流体の流れがパッキンの流通孔の周囲で受けられるため、パッキンの流通孔を通って弁箱内に流入する流体の勢いが弱められ、これにより、弁箱内の圧力変動が十分に低減されて、フロート等の損傷を防止することができる。
【発明の効果】
【００１８】
以上のように本発明によると、地震等の揺れにより、空気弁装置の弁箱に対して流体の急激な流入出現象が発生する際、弁箱内の圧力変動が十分に低減されるため、フロート等の損傷を防止することができる。
【図面の簡単な説明】
【００１９】
【図１】本発明の第１の実施の形態における空気弁装置の断面図である。
【図２】同、空気弁装置の空気弁と圧力変動低減装置との断面図であり、可動部が下限位置まで下降した状態を示す。
【図３】同、空気弁装置の空気弁と圧力変動低減装置との断面図であり、可動部が上限位置まで上昇した状態を示す。
【図４】同、空気弁装置の圧力変動低減装置の可動部の断面図である。
【図５】図４におけるＸ−Ｘ矢視図である。
【図６】図４におけるＹ−Ｙ矢視図である。
【図７】本発明の第２の実施の形態における空気弁装置の圧力変動低減装置の断面図である。
【図８】図７におけるＸ−Ｘ矢視図である。
【図９】本発明の第３の実施の形態における空気弁装置の圧力変動低減装置の断面図である。
【図１０】図９におけるＸ−Ｘ矢視図である。
【図１１】本発明の第４の実施の形態における空気弁装置の断面図である。
【図１２】同、空気弁装置のパッキンの平面図である。
【図１３】本発明の第５の実施の形態における空気弁装置の断面図である。
【図１４】本発明の第６の実施の形態における空気弁装置の断面図である。
【図１５】従来の空気弁装置の断面図である。
【発明を実施するための形態】
【００２０】
以下、本発明における実施の形態を、図面を参照して説明する。
（第１の実施の形態）
第１の実施の形態では、図１に示すように、１は地中に埋設された水道管路（管路の一例）であり、この水道管路１は挿口と受口を有する複数本の管同士を接合してなるものである。管同士の接合部分は、従来と同様に、一方の管の挿口を他方の管の受口に挿入した耐震継手構造を有している。
【００２１】
水道管路１はその途中にＴ字管２を備えており、Ｔ字管２には、空気弁装置５が設けられている。空気弁装置５は、空気弁６と、空気弁６の下端部に接続された圧力変動低減装置４１と、圧力変動低減装置４１とＴ字管２との間に取付けられた補修弁７とを有している。
【００２２】
先ず、空気弁６の構成を以下に説明する。
図１，図２に示すように、空気弁６は、弁箱８と、弁箱８内に設けられたフロート９と遊動弁体１０と案内枠体１１と、弁箱８の上方に設けられたカバー１２とを有している。弁箱８の上端部には、内部と外部とに連通する大空気孔１４（空気孔の一例）と、大空気孔１４の周囲を取り囲む大空気孔用弁座１５とが設けられている。弁箱８の下端部には、取付フランジ１６と、圧力変動低減装置４１と補修弁７とを介して水道管路１のＴ字管２に連通する連通口１７とが設けられている。また、弁箱８内には、連通口１７と大空気孔１４とに通じる弁箱内流路１８が形成されている。
【００２３】
遊動弁体１０は、昇降することにより大空気孔１４を開閉する弁体であり、大空気孔用弁座１５に当接離間自在なシート部１０ａを有している。尚、図３に示すように、遊動弁体１０は、閉位置まで上昇すると、シート部１０ａが大空気孔用弁座１５に当接することにより、大空気孔１４を閉じる。
【００２４】
遊動弁体１０には、遊動弁体１０の内外に連通する小空気孔２１が形成されている。尚、遊動弁体１０は小空気孔用弁座２２を有し、小空気孔２１は、大空気孔１４よりも小径であり、小空気孔用弁座２２を貫通している。
【００２５】
フロート９は、遊動弁体１０を昇降させる金属製で中空構造の球体であり、昇降することによって遊動弁体１０の小空気孔２１を開閉する。
案内枠体１１は、遊動弁体１０およびフロート９を昇降方向（上下方向）に案内するものであり、大空気孔１４に連通する上端開口部１１ａを有する円筒状に形成され、且つ、底部が半球状に湾曲してフロート９を保持している。また、案内枠体１１の側面上部には、案内枠体１１の内外面に開口する複数の開口部２４が形成されている。さらに、案内枠体１１の最底部には小開孔２５が形成されている。
【００２６】
カバー１２は大空気孔１４の上方を覆っており、カバー１２と弁箱８との間には、大空気孔１４と外部とに連通する連通空間２６が形成されている。
次に、補修弁７の構成を以下に説明する。
【００２７】
図１に示すように、補修弁７は、弁箱３５と、弁箱３５内に設けられた弁体３６と、弁体３６を開閉操作するための操作レバー３７とを有している。
次に、圧力変動低減装置４１の構成を以下に説明する。
【００２８】
図１，図２に示すように、圧力変動低減装置４１は、水道管路１のＴ字管２から補修弁７の弁箱３５内を経て空気弁６の連通口１７に至る上下方向の流路４２の途中に備えられたハウジング４３と、ハウジング４３内に収納された上下移動自在（運動自在）な可動部４４と、可動部４４を下方向（流れ方向とは逆方向）へ付勢する伸縮自在なスプリング４５（弾性体の一例）とを有している。
【００２９】
ハウジング４３は、円筒状の本体４８と、本体４８の上端に設けられて空気弁６の取付フランジ１６に連結される上部フランジ４９と、本体４８の下端に設けられて補修弁７の弁箱３５に連結される下部フランジ５０とを有している。尚、上部フランジ４９は、内周に、内鍔部５１を有している。
【００３０】
図２，図４〜図６に示すように、可動部４４は、円筒状の筒部５２と、筒部５２の上端部に設けられた円板状の受流部５３と、筒部５２の下端部外周に設けられた外鍔部５４とを有している。筒部５２には、流路４２の上流側Ｓ１と下流側Ｓ２とに連通し且つ流路断面積を絞るオリフィスの機能を有する複数の第１の流通孔５５が形成されている。また、受流部５３は流路４２を横断するように設けられ、受流部５３には、流路４２の上流側Ｓ１と下流側Ｓ２とに連通し且つ流路断面積を絞るオリフィスの機能を有する複数の第２の流通孔５６が形成されている。尚、第２の流通孔５６は第１の流通孔５５よりも小径である。
【００３１】
上部フランジ４９の内鍔部５１と可動部４４の外鍔部５４とは上下方向において対向しており、スプリング４５は、可動部４４の筒部５２に外嵌され、内鍔部５１と外鍔部５４との間に挟まれている。
【００３２】
尚、可動部４４は、図２に示すように下端部が下部フランジ５０の内周上面に当接する下限位置Ａと、図３に示すように上端部が上部フランジ４９の内鍔部５１に当接する上限位置Ｂとの間で、昇降する。
【００３３】
以下、上記構成における作用を説明する。
図１に示すように、補修弁７を開き、水道管路１内に充水することにより、水道管路１内の空気が、補修弁７と圧力変動低減装置４１の第１および第２の流通孔５５，５６を通り、空気弁６の連通口１７から弁箱内流路１８を流れ、開口部２４を通って大空気孔１４から流出し、連通空間２６を流れて外部へ排気される。この際、フロート９が自重により案内枠体１１内の底部に下降すると共に、遊動弁体１０が自重により開位置まで下降して大空気孔１４を開放している。
【００３４】
水道管路１内の充水量が増加し、水（流体の一例）が空気弁６の連通口１７から弁箱８内に流入すると、弁箱８内の水位の上昇に応じてフロート９が上昇し、フロート９の浮力によって遊動弁体１０が上昇する。図３で示すように、弁箱８内が満水になると、遊動弁体１０が閉位置まで上昇して大空気孔１４を閉じると共に、フロート９が小空気孔２１を閉じ、これにより、水の流出が阻止される。
【００３５】
その後、水道管路１内を流れている水に含まれる少量の空気が水道管路１内から空気弁６の弁箱８内に流入し、弁箱８内に空気が溜まって水位が低下すると、図３の仮想線で示すように、フロート９が自重により下降して小空気孔２１を開く。これにより、弁箱８内の空気が、小空気孔２１を通り、連通空間２６から外部へ排気される。
【００３６】
また、水道管路１内の水を排水すると、弁箱８内の水位が低下し、図２に示すように、フロート９が自重により案内枠体１１内の底部に下降すると共に、遊動弁体１０が自重により開位置まで下降して大空気孔１４を開放する。これにより、外部の空気が、連通空間２６から大空気孔１４を通り、開口部２４を経て弁箱内流路１８を流れ、連通口１７から圧力変動低減装置４１の第１および第２の流通孔５５，５６と補修弁７とを通り、水道管路１内に吸気される。
【００３７】
通常時は、図３で示すように、弁箱８内が満水状態で、遊動弁体１０が大空気孔１４を閉じると共にフロート９が小空気孔２１を閉じた状態になっており、この際、可動部４４は、図２に示すようにスプリング４５の付勢力により下限位置Ａまで下降している。
【００３８】
地震等が発生して非常に強い揺れに襲われ、水道管路１の管継手部が伸縮すると、空気弁６の弁箱８内の水が一気に連通口１７から流路４２を通って水道管路１へ流出したり、或は、水道管路１内の水が一気に流路４２を通って連通口１７から空気弁６の弁箱８内へ流入する異常現象が短時間のうちに繰り返し発生することがある。
【００３９】
この際、水道管路１から空気弁６に向って流路４２を一気に流れる水が圧力変動低減装置４１の第１および第２の流通孔５５，５６を通過し、このとき、図３に示すように、受流部５３が上向きに流れる水の流れを受けることにより、可動部４４が、スプリング４５の付勢力に抗して、下限位置Ａから上限位置Ｂへ上昇する。
【００４０】
これにより、スプリング４５が圧縮され、空気弁６の弁箱８内に流入する水の勢いが弱められ、水の圧力エネルギーの一部がスプリング４５を圧縮させるのに要する弾性エネルギーに変換されるため、弁箱８内の圧力変動が十分に低減され、フロート９等の損傷を防止することができる。
【００４１】
水道管路１から空気弁６に向って上向きに流れる水の勢いが弱まると、図２に示すように、可動部４４が、スプリング４５の付勢力により、上限位置Ｂから下降して下限位置Ａに戻る。
【００４２】
（第２の実施の形態）
第２の実施の形態では、図７，図８に示すように、圧力変動低減装置６１は、ハウジング４３と、ハウジング４３内に収納され且つ水の流れを受けて回転自在な円形の回転板６２（回転部の一例）とを有している。回転板６２は上下方向の回転軸６３に取付けられ、回転軸６３は、上下両端部が円環状の軸受部６４により回転自在に保持されている。上下両軸受部６４はそれぞれ、ハウジング４３の内周面から回転軸心に向って設けられた複数の取付アーム６５により、ハウジング４３内に支持されている。
【００４３】
回転板６２には、流路４２の下方の上流側Ｓ１と上方の下流側Ｓ２とに連通し且つ流路断面積を絞るオリフィスの機能を有する複数の流通孔６６が形成されている。尚、各流通孔６６の下端開口部６６ａの位置と上端開口部６６ｂの位置とは回転板６２の周方向にずれており、流通孔６６は周方向において傾斜している。
【００４４】
以下、上記構成における作用を説明する。
地震等が発生して非常に強い揺れに襲われ、水道管路１の管継手部が伸縮すると、空気弁６の弁箱８内の水が一気に連通口１７から流路４２を通って水道管路１へ流出したり、或は、水道管路１内の水が一気に流路４２を通って連通口１７から空気弁６の弁箱８内へ流入する異常現象が短時間のうちに繰り返し発生することがある。
【００４５】
この際、水道管路１から空気弁６に向って流路４２を一気に流れる水が圧力変動低減装置６１の回転板６２の流通孔６６を下方から上方へ通過する。このとき、流通孔６６は周方向において傾斜しているため、回転板６２に回転力が発生し、回転板６２が一方向Ｃへ回転する。
【００４６】
これにより、空気弁６の弁箱８内に流入する水の勢いが弱められ、水の圧力エネルギーの一部が回転板６２を回転させるのに要する回転エネルギーに変換されるため、弁箱８内の圧力変動が十分に低減され、フロート９等の損傷を防止することができる。
【００４７】
また、反対に、空気弁６の弁箱８内の水が一気に連通口１７から流路４２を通って水道管路１へ流出する際には、空気弁６から水道管路１に向って流路４２を一気に流れる水が回転板６２の流通孔６６を上方から下方へ通過し、このとき、回転板６２が一方向Ｃとは逆の他方向へ回転する。
【００４８】
（第３の実施の形態）
第３の実施の形態では、図９，図１０に示すように、圧力変動低減装置７１は、ハウジング４３と、ハウジング４３内に収納され且つ水の流れを受けて回転自在な複数の回転羽根７２（回転部の一例）と、上下一対の円形の多孔板７３，７４とを有している。回転羽根７２は、両多孔板７３，７４間において、上下方向の回転軸７５に取付けられている。回転軸７５の上下両端部は多孔板７３，７４の中央部に回転自在に挿入されて保持されている。
【００４９】
多孔板７３，７４はそれぞれ、流路４２を横断するようにハウジング４３内に設けられており、流路４２の下方の上流側Ｓ１と上方の下流側Ｓ２とに連通し且つ流路断面積を絞るオリフィスの機能を有する複数の流通孔７６を備えている。
【００５０】
以下、上記構成における作用を説明する。
地震等が発生して非常に強い揺れに襲われ、水道管路１の管継手部が伸縮すると、空気弁６の弁箱８内の水が一気に連通口１７から流路４２を通って水道管路１へ流出したり、或は、水道管路１内の水が一気に流路４２を通って連通口１７から空気弁６の弁箱８内へ流入する異常現象が短時間のうちに繰り返し発生することがある。
【００５１】
この際、水道管路１から空気弁６に向って流路４２を一気に流れる水は、圧力変動低減装置７１の下部の多孔板７４の流通孔７６を通り、各回転羽根７２間を通過した後、上部の多孔板７３の流通孔７６を通る。このとき、回転羽根７２が一方向Ｃへ回転することにより、空気弁６の弁箱８内に流入する水の勢いが弱められ、水の圧力エネルギーの一部が回転羽根７２を回転させるのに要する回転エネルギーに変換されるため、弁箱８内の圧力変動が十分に低減され、フロート９等の損傷を防止することができる。
【００５２】
また、反対に、空気弁６の弁箱８内の水が一気に連通口１７から流路４２を通って水道管路１へ流出する際には、空気弁６から水道管路１に向って流路４２を一気に流れる水は、上部の多孔板７３の流通孔７６を通り、各回転羽根７２間を通過した後、下部の多孔板７４の流通孔７６を通る。このとき、回転羽根７２が一方向Ｃとは逆の他方向へ回転する。
【００５３】
（第４の実施の形態）
第４の実施の形態では、図１１，図１２に示すように、水道管路１から空気弁６の連通口１７に至る流路４２の途中すなわち空気弁６と補修弁７との間には、パッキン８１が設けられている。パッキン８１は、空気弁６の取付フランジ１６と補修弁７の弁箱３５の上部フランジ３５ａとの間に挟まれており、取付フランジ１６と上部フランジ３５ａと共に複数のボルト８２，ナット８３によって連結されている。
【００５４】
パッキン８１は、流通孔８４と、流通孔８４の周囲を補強する補強部材８５と、複数のボルト挿通孔８６とを有している。流通孔８４は、流路４２の上流側Ｓ１と下流側Ｓ２すなわち補修弁７内と空気弁６内とに連通し且つ流路断面積を絞るオリフィスの機能を有しており、空気弁６の取付フランジ１６の内径および補修弁７の上部フランジ３５ａの内径よりも小径である。
【００５５】
パッキン８１の流通孔８４の周囲は取付フランジ１６および上部フランジ３５ａの内周面から径方向内側の流路４２内に突入している。また、各ボルト８２はパッキン８１のボルト挿通孔８６に挿通されている。また、補強部材８５は、円環形状の薄い金属板であり、パッキン８１の内部に埋め込まれている。
【００５６】
以下、上記構成における作用を説明する。
地震等が発生して非常に強い揺れに襲われ、水道管路１の管継手部が伸縮すると、空気弁６の弁箱８内の水が一気に連通口１７から流路４２を通って水道管路１へ流出したり、或は、水道管路１内の水が一気に流路４２を通って連通口１７から空気弁６の弁箱８内へ流入する異常現象が短時間のうちに繰り返し発生することがある。
【００５７】
この際、水道管路１から空気弁６に向って流路４２を一気に流れる水はパッキン８１の流通孔８４を下方から上方へ通過し、このとき、水の流れが流通孔８４の周囲で受けられるため、流通孔８４を通って空気弁６の連通口１７から弁箱８内に流入する水の勢いが弱められ、これにより、弁箱８内の圧力変動が十分に低減される。
【００５８】
この際、パッキン８１の流通孔８４の周囲に下から上へ向って押圧力が作用するが、流通孔８４の周囲は補強部材８５によって補強されているため、パッキン８１の変形や損傷を防止することができる。
【００５９】
また、反対に、空気弁６の弁箱８内の水が一気に連通口１７から流路４２を通って水道管路１へ流出する際には、空気弁６から水道管路１に向って流路４２を一気に流れる水は、パッキン８１の流通孔８４を上方から下方へ通過する。
【００６０】
（第５の実施の形態）
第５の実施の形態では、図１３に示すように、空気弁６と補修弁７との間に、多孔板９０が設けられている。多孔板９０には、流路４２の上流側Ｓ１と下流側Ｓ２すなわち補修弁７内と空気弁６内とに連通し且つ流路断面積を絞るオリフィスの機能を有する複数の流通孔９１が形成されている。
【００６１】
これによると、地震等が発生して非常に強い揺れに襲われ、水道管路１の管継手部が伸縮すると、空気弁６の弁箱８内の水が一気に連通口１７から流路４２を通って水道管路１へ流出したり、或は、水道管路１内の水が一気に流路４２を通って連通口１７から空気弁６の弁箱８内へ流入する異常現象が短時間のうちに繰り返し発生することがある。
【００６２】
この際、水道管路１から空気弁６に向って流路４２を一気に流れる水は多孔板９０の各流通孔９１を下方から上方へ通過し、このとき、水の流れが各流通孔９１の周囲で受けられるため、各流通孔９１を通って空気弁６の連通口１７から弁箱８内に流入する水の勢いが弱められ、これにより、弁箱８内の圧力変動が十分に低減される。
【００６３】
また、反対に、空気弁６の弁箱８内の水が一気に連通口１７から流路４２を通って水道管路１へ流出する際には、空気弁６から水道管路１に向って流路４２を一気に流れる水は、多孔板９０の各流通孔９１を上方から下方へ通過する。
【００６４】
（第６の実施の形態）
第６の実施の形態では、図１４に示すように、空気弁６の連通孔１７内に多孔板９３が嵌め込まれている。多孔板９３には、補修弁７の弁箱３５内と空気弁６の弁箱８内とに連通し且つ流路断面積を絞るオリフィスの機能を有する複数の流通孔９４が形成されている。
【００６５】
これによると、地震等が発生して非常に強い揺れに襲われ、水道管路１の管継手部が伸縮すると、空気弁６の弁箱８内の水が一気に連通口１７から流路４２を通って水道管路１へ流出したり、或は、水道管路１内の水が一気に流路４２を通って連通口１７から空気弁６の弁箱８内へ流入する異常現象が短時間のうちに繰り返し発生することがある。
【００６６】
この際、水道管路１から空気弁６に向って流路４２を一気に流れる水は、連通口１７に嵌め込まれた多孔板９３の各流通孔９４を下方から上方へ通過し、弁箱８内に流入する。このとき、水の流れが各流通孔９４の周囲で受けられるため、各流通孔９４を通って空気弁６の弁箱８内に流入する水の勢いが弱められ、これにより、弁箱８内の圧力変動が十分に低減される。
【００６７】
また、反対に、空気弁６の弁箱８内の水が一気に連通口１７から流路４２を通って水道管路１へ流出する際には、空気弁６から水道管路１に向って流路４２を一気に流れる水は、多孔板９３の各流通孔９４を上方から下方へ通過する。
【００６８】
尚、本実施の形態では、多孔板９３を空気弁６の連通孔１７内に嵌め込んでいるため、空気弁６と補修弁７とを足し合わせた高さＨが増加することはなく、空気弁装置５を小型化できる。
【００６９】
上記各実施の形態では、図１に示すように、空気弁６と補修弁７と圧力変動低減装置４１とを有する空気弁装置５を挙げたが、補修弁７を備えていないものであってもよい。
上記各実施の形態では、図１に示すように、空気弁装置５を水道管路１に取付けているが、水道管路１以外の別の管路に取付けてもよい。
【符号の説明】
【００７０】
１      水道管路
５      空気弁装置
８      弁箱
９      フロート
１４    大空気孔（空気孔）
１７    連通口
１８    弁箱内流路
４１，６１，７１    圧力変動低減装置
４４    可動部
４５    スプリング（弾性体）
５５，５６，６６，７６，８４    流通孔
６２    回転板（回転部）
７２    回転羽根（回転部）
８１    パッキン
８５    補強部材
【図１】
2013170604.tif 000003
【図２】
2013170604.tif 000004
【図３】
2013170604.tif 000005
【図４】
2013170604.tif 000006
【図５】
2013170604.tif 000007
【図６】
2013170604.tif 000008
【図７】
2013170604.tif 000009
【図８】
2013170604.tif 000010
【図９】
2013170604.tif 000011
【図１０】
2013170604.tif 000012
【図１１】
2013170604.tif 000013
【図１２】
2013170604.tif 000014
【図１３】
2013170604.tif 000015
【図１４】
2013170604.tif 000016
【図１５】
2013170604.tif 000017